(57)【要約】【課題】本発明の課題は、皮膚に塗布した際に、皮膚の皮溝や毛穴にアプローチして、アンモニア等の塩基性物質を効果的に中和することができる硫酸金属塩の粒子を提供することにある。【解決手段】上記課題を解決するために、３価の金属塩の硫酸塩である硫酸金属塩の粒子であって、粒子の形状が球状であり、メディアン径が２００μｍ以下であることを特徴とする、硫酸金属塩粒子を提供する。この硫酸金属塩粒子は、球形の粒子であるため、皮膚に塗布した際に皮膚の上を転がり、皮溝や毛穴に十分にアプローチさせることができる。【選択図】図４
2019156676.tif 000002
【特許請求の範囲】
【請求項１】
３価の金属塩の硫酸塩である硫酸金属塩の粒子であって、
粒子の形状が球状であり、メディアン径が２００μｍ以下であることを特徴とする、硫酸金属塩粒子。
【請求項２】
前記硫酸金属塩粒子は、中空状であることを特徴とする、請求項１に記載の硫酸金属塩粒子。
【請求項３】
前記硫酸金属塩は水和物であることを特徴とする、請求項１又は２に記載の硫酸金属塩粒子。
【請求項４】
前記硫酸金属塩は無水物であることを特徴とする、請求項１又は２に記載の硫酸金属塩粒子。
【請求項５】
請求項１〜４のいずれか１項に記載の硫酸金属塩粒子を含有することを特徴とする、化粧料。
【請求項６】
前記化粧料が、制汗剤、ボディパウダー、フェイスパウダー、ファンデーション、化粧下地又はチークである、請求項５に記載の化粧料。
【発明の詳細な説明】
【技術分野】
【０００１】
本発明は、３価の金属塩の硫酸塩である硫酸金属塩の球状粒子に関する。また、この硫酸金属塩の球状粒子を含有する化粧料に関する。
【背景技術】
【０００２】
腋臭、汗臭、足臭等の体臭は、周囲の人に不快感を与えるため、体臭を防臭、消臭するためのデオドラント化粧料が開発されている。体臭の原因物質としては、イソ吉草酸やカプロン酸等の低級脂肪酸、アンモニア、ブチルアミン等の含窒素化合物、インドール、エチルメルカプタン等の含イオウ化合物、揮発性ステロイド化合物、ノネナール等が知られている。また、これらの体臭を消臭するためのデオドラント製品として、収れん性のアルミニウム化合物を用いることにより発汗を抑制する制汗剤や、殺菌成分を用いることによりバクテリアの繁殖を阻止して汗や皮脂の分解を防止する殺菌剤や、金属酸化物や植物抽出物等を用いることにより発生した臭気を消す消臭剤や、香料を用いて臭気をマスキングするマスキング剤などが知られている。例えば、特許文献１には、酸化マグネシウム粉体を有効成分として含有するデオドラント化粧料が開示されている。このデオドラント化粧料では、酸化マグネシウムが汗臭の主成分である低級脂肪酸を中和することにより消臭作用を発揮する。しかし、アンモニアなどの体臭には十分には対応できていなかった。
【０００３】
収れん性のアルミニウム化合物として、硫酸アルミニウムカリウムや硫酸アルミニウムアンモニウムなどの硫酸アルミニウム塩が知られている。硫酸アルミニウム塩は、液状、粉状、ブロック状などの様々な形態で供給されている。例えば、特許文献２には、硫酸アルミニウムカリウムの熱溶液に粉砕した乾燥硫酸アルミニウムカリウムの粉末を加えて得られたスラリー液を、放冷固化したブロック状の硫酸アルミニウム塩が記載されている。
【先行技術文献】
【特許文献】
【０００４】
【特許文献１】特開２００１−１８７７２１号公報
【特許文献２】特開２００２−１９３６１５号公報
【発明の概要】
【発明が解決しようとする課題】
【０００５】
デオドラント化粧料において、アンモニアなどの塩基性物質に由来する体臭を消臭することが求められている。これらの塩基性物質を消臭するには、酸性物質などを添加して中和する方法が考えられる。ここで、本発明者らは、３価の金属塩の硫酸塩である硫酸金属塩が酸性であることに着目し、この硫酸金属塩の粒子を用いてアンモニアなどの塩基性物質による体臭を消臭することを検討した。アンモニアなどの塩基性物質は、汗と共に皮膚の皮溝や毛穴に溜まっているため、硫酸金属塩の粒子を皮溝や毛穴にアプローチすることにより、効果的な消臭作用を発揮することができると考えられる。しかしながら、従来の粉状として供給される硫酸金属塩は、粉砕により調製されるため、角を有する多面体形状であり、これらの多面体形状の粒子は、皮膚に塗布したとしても滑り難く、皮膚の皮溝や毛穴に十分にアプローチできないという問題がある。
【０００６】
そこで、本発明の課題は、皮膚に塗布した際に、皮膚の皮溝や毛穴にアプローチして、アンモニア等の塩基性物質を効果的に中和することができる硫酸金属塩の粒子を提供することにある。
【課題を解決するための手段】
【０００７】
本発明者らは、上記課題に対して鋭意検討したところ、硫酸金属塩の粒子について、粒子形状を球状とし、メディアン径を２００μｍ以下とすることで、前記課題を解決できること見出し、本発明を完成するに至った。
すなわち、本発明は、以下の硫酸金属塩粒子及びこれを含有する化粧料である。
【０００８】
本発明の硫酸金属塩粒子は、３価の金属塩の硫酸塩である硫酸金属塩の粒子であって、粒子の形状が球状であり、メディアン径が２００μｍ以下であることを特徴とする。
この特徴によれば、粒子の形状が球状であるため、皮膚に塗布した際に滑りがよく、粒子を皮溝や毛穴に十分にアプローチすることができる。また、塗布した際に滑りがよいことから、さらさらとした感触を付与することもできる。
また、毛穴の大きさや皮溝の幅は、肌質によっても異なるが、数百ミクロンである。そのため、硫酸金属塩粒子の粒子径をメディアン径として２００μｍ以下とすることにより、皮膚に塗布した際に、多くの硫酸金属塩粒子が毛穴や皮溝にはまり込み、毛穴や皮溝に留まることができる。よって、毛穴や皮溝に溜まった汗に含まれるアンモニア等の塩基性物質を効果的に中和することが可能となる。
また、本発明の硫酸金属塩粒子は、毛穴や皮溝へ留まり易いため、収れん作用により毛穴や皮溝を引き締めるという効果も期待される。
その他にも、本発明の硫酸金属塩粒子は、粒子の形状が球状であることから流動性がよく、化粧料の製造においてハンドリング性に優れるという効果もある。
【０００９】
更に本発明の硫酸金属塩粒子の一実施態様としては、中空状であることを特徴とする。
この特徴によれば、表面積が大きいため、汗に溶けやすいという性質が付与される。そのため、皮溝や毛穴に溜まった汗にすばやく溶け、アンモニア等の塩基性物質を中和することができる。
【００１０】
更に本発明の硫酸金属塩粒子の一実施態様としては、水和物であることを特徴とする。
この特徴によれば、溶解性が優れているため、皮溝や毛穴に溜まった汗にすばやく溶け、アンモニア等の塩基性物質を中和することができる。
【００１１】
更に本発明の硫酸金属塩粒子の一実施態様としては、無水物であることを特徴とする。
この特徴によれば、潮解性が小さいため、製品の保存安定性に優れるという効果を奏する。
【００１２】
本発明の化粧料は、上記硫酸金属塩粒子を含有することを特徴とする。
この特徴によれば、硫酸金属塩粒子が毛穴や皮溝に十分にアプローチすることができるため、毛穴や皮溝に溜まったアンモニア等の塩基性物質を効果的に中和することが可能な化粧料を提供することができる。また、この化粧料によれば、収れん作用を有する硫酸金属塩粒子が毛穴や皮溝にアプローチすることができるため、毛穴や皮溝を効果的に引き締めることが可能な化粧料を提供することができる。
【００１３】
更に本発明の化粧料の一実施態様としては、制汗剤、ボディパウダー、フェイスパウダー、ファンデーション、化粧下地又はチークであることを特徴とする。
この特徴によれば、毛穴や皮溝に硫酸金属塩粒子を留まらせ、アンモニア等の塩基性物質を効果的に中和するという効果や、毛穴や皮溝を効果的に引き締めるという効果をより発揮することができる。
【発明の効果】
【００１４】
本発明によれば、皮膚に塗布した際に、皮膚の皮溝や毛穴にアプローチして、アンモニア等の塩基性物質を効果的に中和することができる硫酸金属塩の粒子を提供することができる。
【図面の簡単な説明】
【００１５】
【図１】皮膚の構造を示す概略説明図である。
【図２】皮溝に汗が流れ込む様子を示す概略説明図である。
【図３】毛穴に球状の硫酸金属塩粒子がアプローチした状態を示す概略説明図である。
【図４】球状の硫酸アルミニウムカリウム粒子のＳＥＭ画像である。
【図５】中空状の硫酸アルミニウムカリウム粒子のＳＥＭ画像である。
【図６】非球状の硫酸アルミニウムカリウム粒子のＳＥＭ画像である。
【図７】粒子の平均摩擦係数（ＭＩＵ）を測定するための概略説明図である。
【発明を実施するための形態】
【００１６】
次に、本発明を実施するための最良の形態を含めて説明する。
［硫酸金属塩粒子］
本発明の硫酸金属塩粒子は、３価の金属塩の硫酸塩である硫酸金属塩の粒子であって、粒子の形状が球状であり、メディアン径が２００μｍ以下であることを特徴とする。
この特徴によれば、粒子の形状が球状であり、メディアン径が２００μｍ以下であるため、皮膚に塗布した際に滑りがよく、粒子を毛穴や皮溝に十分にアプローチすることができる。そして、毛穴や皮溝に溜まった汗に溶解し、汗中のアンモニア等の塩基性物質を効果的に中和することができる。
【００１７】
発汗のメカニズムと、本発明の硫酸金属塩粒子の作用について図面を用いて説明する。図１は、皮膚の構造を示す概略説明図である。図１に示すように、皮膚は、表皮に網状に形成された皮溝２０と、皮溝２０に囲まれた領域に形成された皮丘３０と、皮溝２０が交差する領域に形成された毛穴１０を有する。毛穴１０の深層には毛根があり、毛穴１０から毛が発毛する。
【００１８】
汗は、エクリン腺又はアポクリン腺の２種類の汗腺から出ることが知られている。エクリン腺は、ほぼ全身に分布し、主に体温調節のために発汗するための汗腺である。エクリン腺は皮丘３０に開口しており、エクリン腺から出る汗は皮溝２０に流れ込み、皮溝２０内を流れて毛穴１０に溜まる（図２参照。）。なお、エクリン腺から出る汗は、無色無臭であり、臭いの成分をほとんど含んでいない。
一方、アポクリン腺は、ワキ、乳首、下腹部などの特定の部位に多く存在する汗腺である。また、アポクリン腺は毛根に開口しており、アポクリン腺から出る汗は、そのまま毛穴１０に溜まる。アポクリン腺から出る汗は、脂質やタンパクなどの成分を含み、これらの成分が微生物等に分解されて臭いの原因成分となりやすいことが知られている。
【００１９】
図３に示すように、本発明の硫酸金属塩粒子は、粒子の形状が球状であるため、皮膚に塗布した際に皮丘３０上を転がり、毛穴１０に十分にアプローチすることができる。また、皮溝２０に溜まった硫酸金属塩粒子についても汗とともに流れて、毛穴１０へアプローチすることができる。そして、毛穴１０において、汗中の臭いの原因成分であるアンモニア等の塩基性物質を効果的に中和することができる。
【００２０】
＜硫酸金属塩＞
本発明の硫酸金属塩は、３価の金属塩の硫酸塩である。また、本発明の硫酸金属塩は、３価の金属塩の硫酸塩と１価の陽イオンの硫酸塩との複塩でもよい。３価の金属塩は、特に限定されないが、例えば、アルミニウムイオン、鉄イオンなどが挙げられる。収れん作用も付与されるという観点から、好ましくはアルミニウムイオンを含むことが好ましい。
また、１価の陽イオンは、特に限定されないが、例えば、カリウム、ナトリウムなどの１価の金属イオンや、アンモニウムイオンなどが挙げられる。臭い抑制の観点から、カリウムやナトリウムなどの１価の金属イオンを含むことが好ましい。
【００２１】
好ましくは、以下の化学式（１）によって表される化合物である。
Ｍ１＋Ｍ３＋（ＳＯ４）２またはＭ３＋２（ＳＯ４）３      （１）
［式中、Ｍ１＋は、Ｋ＋、Ｎａ＋、ＮＨ４＋又はそれらの混合物である。Ｍ３＋は、Ａｌ３＋、Ｆｅ３＋又はそれらの混合物である。］
より好ましい硫酸アルミニウム塩であり、さらに好ましくは硫酸アルミニウムアンモニウム、硫酸アルミニウムナトリウム、硫酸アルミニウムカリウムであり、特に好ましくは硫酸アルミニウムナトリウム、硫酸アルミニウムカリウムである。
【００２２】
本発明の硫酸金属塩は水和物でも、無水物でもよい。
水和物とは、水を含む物質であり、水和水の個数によって、１水和物、２水和物等の水和物が挙げられる。本発明の水和物において、水和水の個数は特に限定されないが、８水和物や１２水和物が好ましい。硫酸金属塩の水和物は、水に対する溶解性が優れているため、皮溝や毛穴に溜まった汗にすばやく溶け、アンモニア等の塩基性物質を中和するという効果をより発揮することができる。
【００２３】
無水物とは、結晶水や水和水を含む物質がその水をなくした状態のものである。硫酸金属塩を無水物とすることで、水等に対する溶解性が小さくなり、潮解を防ぐことができる。そのため、スティック状の制汗剤等として、安定した品質を保つことができる。
【００２４】
本発明の硫酸金属塩粒子のメディアン径は２００μｍ以下であり、その形状は球状である。球状とは、真球状のみを意味するものではなく、楕円や略球状、表面に微細な穴や凹凸があるものでもよい。楕円状、略球状の場合は短径と長径の比率が１：１〜１：２であれば球状として好ましい。
【００２５】
メディアン径の下限としては、好ましくは１μｍ以上、より好ましくは３μｍ以上、特に好ましくは５μｍ以上である。上限としては、好ましくは１００μｍ以下、より好ましくは５０μｍ以下、特に好ましくは３０μｍ以下である。
硫酸金属塩粒子のメディアン径を上記範囲とすることで、皮膚に塗布した際に、多くの硫酸金属塩粒子が毛穴や皮溝にはまり込み、毛穴や皮溝に留まることができる。よって、毛穴や皮溝に溜まった汗に含まれるアンモニア等の塩基性物質を効果的に中和することが可能となる。
なお、本発明のメディアン径は、レーザー回析／散乱法（粒子径分布測定装置ＨＥＬＯＳ；株式会社日本レーザー製）を用いて測定することによって得られる体積メディアン径（Ｖｏｌｕｍｅ  Ｍｅｄｉａｎ  Ｄｉａｍｅｔｅｒ：ＶＭＤ）である。
【００２６】
また、本発明の硫酸金属塩粒子の形状は、中空状であることが好ましい。
中空状とは、球状部分の表層部分にのみ一次粒子が存在する状態であって、内部空間を有していることをいい、内部空間と外部空間の間の殻は開口部を有していてもよい。
表層部分の膜厚は、特に限定されないが、０．１μｍ〜５μｍ程度が好ましい。
硫酸金属塩粒子を中空状の粒子とすることで、表面積を大きくなるため、汗に溶けやすいという性質を付与することができる。そのため、皮溝や毛穴に溜まった汗にすばやく溶け、アンモニア等の塩基性物質を中和することができる。
【００２７】
［硫酸金属塩粒子の製造方法］
球状の硫酸金属塩粒子を調製する方法は、特に限定されないが、通常公知の造粒方法、例えば、噴霧乾燥法（スプレードライ法）、流動層造粒法等を用いることができる。特に、噴霧乾燥法を用いれば、成分を美観よく球状化できるため好ましい。
【００２８】
噴霧乾燥法によって球状粒子を調製するには、例えば、以下の方法を用いることができる。まず、硫酸金属塩を水、エタノール、イソプロピルアルコール、アセトン等の１種または２種以上の分散溶媒中に溶解又は均一分散させ、硫酸金属塩の溶液又はスラリーを調製する。
【００２９】
この硫酸金属塩の溶液又はスラリーを調製する際に、必要に応じて賦形剤などを添加してもよい。賦形剤は、生理活性を有しない物資であり、例えば、澱粉、デキストリン、乳糖、麦芽糖、ブドウ糖、マルチトール、ソルビトールなどが挙げられる。賦形剤を添加することにより、粒子の形状や、硫酸金属塩粒子の溶解性などを調整することができる。
【００３０】
また、硫酸金属塩の溶液の濃度は、特に制限されないが、一般的には１〜８０質量％である。下限としては、好ましくは３質量％以上であり、より好ましくは５質量％以上であり、特に好ましくは８質量％以上である。上限としては、好ましくは６０質量％以下であり、より好ましくは５０質量％以下であり、特に好ましくは４５質量％以下である。溶液の濃度を高めることにより、生産性が向上する。一方、溶液の濃度を低下すると噴霧霧乾燥中における粒子同士の付着を防止し、美観に優れた球状の粒子を得ることができる。
なお、中空状の粒子は、硫酸金属塩の溶液の濃度や溶媒の種類などを調整することにより得ることができる。
【００３１】
次いで、硫酸金属塩の溶液又はスラリーに対して、上記噴霧乾燥法（スプレードライ法）等を使用して球状化処理を行う。噴霧乾燥における熱風の温度は１５０〜３００℃であることが好ましく、より好ましくは、２００〜２５０℃である。
【００３２】
最後に、球状化処理された粒子は熱処理炉等を用いて焼結してもよい。焼結は、窒素、アルゴン等の不活性ガス雰囲気中で行われる。焼結温度は１００〜５００℃で行うのが好ましく、２００〜３００℃がより好ましい。この焼結に要する時間は、５〜１５時間程度が好ましい。
【００３３】
この焼結により、球状粒子が得られるとともに造粒処理に起因する不純物を除去することもできる。
更に、焼結条件を制御することで、前記硫酸金属塩の水和物又は無水物を作りわけることができる。
また、得られた球状粒子は、必要に応じて分級して用いることもできる。
【００３４】
［硫酸金属塩粒子を含有する化粧料］
本発明の化粧料としては、特に制限されないが、消臭を目的とする化粧料や、収れん作用による毛穴等の引き締めを目的とする化粧料などに好適に利用することができる。例えば、制汗剤、ボディパウダー、フェイスパウダー、ファンデーション、化粧下地、チーク等が挙げられる。
【００３５】
次に、本発明の化粧料について、具体的に説明する。
＜制汗剤＞
制汗剤とは該制汗性薬剤を皮膚に噴霧、塗布、付着させて、制汗効果を発生させることができる製品を示すものである。
制汗剤の形態としては、皮膚に直接塗布して用いるスティックタイプ、ジェルタイプ、クリームタイプのものや、皮膚に噴霧して用いられるエアゾールタイプやノンエアゾールタイプのものなどが挙げられる。
【００３６】
＜ボディパウダー＞
ボディパウダーとは、油のぎらつきを抑え、マットで自然な仕上がりを与えるために用いられる化粧料である。
【００３７】
＜フェイスパウダー＞
フェイスパウダーとは、化粧の仕上げに使用し、皮脂やファンデーションのテカリやべたつきを抑えるための化粧料である。
【００３８】
＜ファンデーション＞
ファンデーションとは、肌の色を整えたり、しみやそばかす等のカバー、紫外線からの保護、外界のストレスからの防御等の機能を有するものである。化粧下地を肌上に塗布した後、塗布されるメーキャップ化粧料である。
【００３９】
＜化粧下地＞
化粧下地とは、メイクアップ製品を塗布する前に下地として用いるものであり、ファンデーションなどのメイクアップ製品の発色性を付着力（つき）、被覆力（のり）をよくして、化粧仕上がりの美しさや、化粧くずれを防ぎメイクアップ効果の持続などを目的として使用される化粧料である。
【００４０】
＜チーク＞
チークとは、頬紅のことであって、頬に塗布して顔色を明るく見せたり、陰影をつけて立体感をだすために用いられる化粧料である。剤型は固形状、クリーム状、液状、スティック状などがある。
【００４１】
本発明の化粧料において、硫酸金属塩粒子の含有量は、特に制限されないが、好ましくは０．１〜１００．０質量％である。下限としては、より好ましくは１．０質量％以上であり、さらに好ましくは５．０質量％以上であり、特に好ましくは１０．０質量％以上である。上限としては、より好ましくは５０．０質量％以下であり、さらに好ましくは３０質量％以下であり、特に好ましくは２０．０質量％以下である。前記範囲内であると、毛穴に溜まった汗中のアンモニア等の塩基性物質を中和する効果や、収れん作用により毛穴等を引き締める効果を十分に発揮する。
【００４２】
本発明の化粧料は、用途に応じて、化粧品に通常使用される他の成分を含有することができる。例えば、無機顔料、体質顔料、高分子粉体、油性原料、界面活性剤、保湿剤、増粘剤、ポリマー類、紫外線防御剤、酸化防止剤、酸化防止助剤、金属イオン封鎖剤、ステアリン酸マグネシウム等の金属石けん、美白用薬剤、抗シワ剤、肌荒れ改善剤、ニキビ用薬剤、防臭用薬剤、清涼化剤、収れん剤、抗菌剤、有機顔料、天然色素、香料、ビタミン類、皮膚軟化剤等が挙げられる。
【００４３】
無機顔料としては、体質顔料、着色顔料、白色顔料等が挙げられる。
体質顔料は、製品の剤型を保つために用いられるものであり、これにより製品の使用性（伸展性、付着性）や光沢などを調節することができる。具体的には、マイカ、セリサイト、タルク、カオリン、合成金雲母、炭酸カルシウム、炭酸マグネシウム、無水ケイ酸、酸化アルミニウム、硫酸バリウム等が例示される。
着色顔料は、製品の色調を調整するものであり、具体的には、ベンガラ、黄酸化鉄、黒酸化鉄、酸化クロム、群青、紺青、カーボンブラック等が例示される。
白色顔料は、製品の色調を調整する役割のほか、隠蔽力を調整することができるものであり、具体的には、二酸化チタン、酸化亜鉛等が例示される。
【００４４】
高分子粉体としては、具体的には、ポリエチレン粉末、ポリメタクリル酸メチル粉末、ポリエチレンテレフタラート・ポリメチルメタクリレート積層末、ナイロンパウダー、ポリウレタンパウダー、シリコーンパウダー等が例示される。
【００４５】
油性原料としては、油脂、ロウ類、炭化水素、高級脂肪酸、高級アルコール、エステル類、シリコーン油等が挙げられる。更に具体的には、油脂としては、オリーブ油、ツバキ油、マカデミアナッツ油、ヒマシ油等、ロウ類としては、カルナウバロウ、キャンデリラロウ、ホホバ油、ミツロウ、ラノリン等、炭化水素としては、流動パラフィン、パラフィン、ワセリン、セレシン、マイクロクリスタリンワックス、スクワラン等、高級脂肪酸としては、ラウリン酸、ミリスチン酸、パルミチン酸、ステアリン酸、イソステアリン酸等、高級アルコールとしては、セチルアルコール、ステアリルアルコール、イソステアリルアルコール、２−オクチルドデカノール等、エステル類としては、ミリスチン酸イソプロピル、ミリスチン酸２−オクチルドデシル、２−エチルヘキサン酸セチル、リンゴ酸ジイソステアリル等、シリコーン油としては、メチルポリシロキサン、メチルフェニルポリシロキサン、デカメチルシクロペンタシロキサン、高重合メチルポリシロキサン等が例示される。
【００４６】
界面活性剤としては、アニオン界面活性剤、カチオン界面活性剤、両性界面活性剤、非イオン界面活性剤が挙げられる。更に具体的には、アニオン界面活性剤としては、高級脂肪酸石けん、アルキル硫酸エステル塩、ポリオキシアルキルエーテル硫酸塩、アシルＮ−メチルタウリン塩、アルキルエーテルリン酸エステル塩、Ｎ−アシルアミノ酸塩等、カチオン界面活性剤としては、塩化アルキルトリメチルアンモニウム、塩化ジアルキルジメチルアンモニウム、塩化ベンザルコニウム等、両性界面活性剤としては、アルキルジメチルアミノ酢酸ベタイン、アルキルアミドプロピルジメチルアミノ酢酸ベタイン、２−アルキル−Ｎ−カルボキシメチル−Ｎ−ヒドロキシエチルイミダゾリニウムベタイン等、非イオン界面活性剤としては、ポリオキシエチレン型、多価アルコールエステル型、エチレンオキシド・プロピレンオキシドブロック共重合体等が例示される。
【００４７】
保湿剤としては、例えば、グリセリン、プロピレングリコール、ジプロピレングリコール、１，３−ブチレングリコール、ポリエチレングリコール、ソルビトール、乳酸ナトリウム、２−ピロリドン−５−カルボン酸ナトリウム、ヒアルロン酸ナトリウム等が挙げられる。
【００４８】
増粘剤としては、例えば、クインスシードガム、キサンタンガム、カルボキシメチルセルロースナトリウム、カルボキシビニルポリマー等が挙げられる。
【００４９】
ポリマー類としては、例えば、ポリビニルアルコール、ポリビニルピロリドン、ニトロセルロース、高分子シリコーン等が挙げられる。
【００５０】
紫外線防御剤としては、例えば、ベンゾフェノン誘導体、パラアミノ安息香酸誘導体、メトキシ桂皮酸誘導体、サリチル酸誘導体等の紫外線吸収剤、微粒子酸化チタン、微粒子酸化亜鉛、微粒子酸化鉄等の紫外線散乱剤が挙げられる。
【００５１】
酸化防止剤としては、例えば、トコフェロール類、ＢＨＴ、没食子酸エステル類等が挙げられる。また、酸化防止助剤としては、例えば、リン酸、クエン酸、アスコルビン酸、マレイン酸、マロン酸、コハク酸、フマール酸、ケファリン、ヘキサメタフォスフェイト、フィチン酸、エチレンジアミン四酢酸（ＥＤＴＡ）等が挙げられる。
【００５２】
金属イオン封鎖剤としては、例えば、エチレンジアミン四酢酸ナトリウム、リン酸、クエン酸、アスコルビン酸、コハク酸、グルコン酸、ポリリン酸ナトリウム、メタリン酸ナトリウム等が挙げられる。
【００５３】
美白用薬剤としては、例えば、ビタミンＣ類、アルブチン、コウジ酸、エラグ酸、ルシノール等が挙げられる。
【００５４】
抗シワ剤としては、例えば、レチノイド（ビタミンＡ類）、α−ヒドロキシ酸等が挙げられる。
【００５５】
肌荒れ改善剤としては、例えば、βグリチルレチン酸、グリチルリチン酸誘導体、アラントイン、アズレン、ヒドロコルチゾン等の抗炎症剤、プロテアーゼ阻害剤等が挙げられる。
【００５６】
ニキビ用薬剤としては、例えば、エストラジオール、エストロン、エチニルエストラジオール、ビタミンＢ６等の皮脂抑制成分、イオウ、サリチル酸、レゾルシン等の角質剥離・溶解成分、塩化ベンザルコニウム、塩化ベンゼトニウム、ハロカルバン、２，４，４−トリクロロ−２−ヒドロキシフェノール等の殺菌成分、グリチルリチン酸、グリチルレチン酸等の抗炎症成分等が挙げられる。
【００５７】
防臭用薬剤としては、例えば、クロルヒドロキシアルミニウム、塩化アルミニウム、アラントインクロルヒドロキシアルミニウム、酸化亜鉛、パラフェノールスルホン酸亜鉛、銀含有ゼオライト等の制汗成分、塩化ベンザルコニウム、イソプロピルメチルフェノール、塩化ベンゼトニウム、ハロカルバン、塩酸クロルヘキシジン等の殺菌成分、ポリフェノール系カキタンニン、茶カテキン等の消臭成分、チオタウリン、ヒポタウリン、トコフェロール等の酸化防止成分等が挙げられる。
【００５８】
清涼化剤としては、例えば、メントール、カンフル等が挙げられる。
【００５９】
収れん剤としては、例えば、酸化亜鉛、硫酸亜鉛、アラントインヒドロキシアルミニウム、塩化アルミニウム、スルホ石炭酸亜鉛、タンニン酸、クエン酸、乳酸等が挙げられる。
【００６０】
抗菌剤としては、安息香酸及びその塩類、サリチル酸及びその塩類塩、フェノール、ソルビン酸及びその塩類、デヒドロ酢酸及びその塩類、パラベン、クロルクレゾール、ヘキサクロロフェン、レゾルシン、イソプロピルメチルフェノール、オルトフェニルフェノール、塩化ベンザルコニウム、塩酸クロルヘキシジン、グルコン酸クロルヘキシジン、臭化アルキルイソキノリニウム、トリクロロカルバニリド、ハロカルバン、感光素２０１号、フェノキシエタノール、トリクロサン、メチルクロロイソチアゾリノン・メチルイソチアゾリノン液、ビサボロール、塩酸アルキルジアミノエチルグリシン、トリクロロ・サリチルアニリド、トリブロモ・サリチルアニリド、水銀系化合物、ホルマリン、白降こう、ビチオノール、ホウ酸・ホウ砂、ジクロロフェン、ヘキサクロロフェン、ハロゲン化サリチルアニリド等が挙げられる。
【００６１】
＜剤型・形態＞
【００６２】
本発明の化粧料の剤型は、硫酸金属塩粒子の形状が球形に維持されるものであれば、特に制限されず、使用目的に合わせて適宜選択することができる。球形に維持するには、水へ溶解しなければよく、例えば、粉末や油性成分に分散させることにより球形を維持することができる。保存時の吸湿が防止され、球形の形状を維持しやすいという観点から、油性成分に分散させることが好ましい。粉末や油性成分に分散したものを、粉末状、固形粉末状、油性状、油性固形状、クリーム状、ゲル状、水中油型乳化状、油中水型乳化状等の剤型とすることができる。
また、製品の形態についても特に制限されず、パウダータイプ、コンパクトタイプ、スティックタイプ、クリームタイプ、乳液タイプ、ジェル、ワックス、ロールオンタイプ、エアゾールタイプ、ノンエアゾールタイプなどとしてもよい。
【００６３】
本発明の化粧料は、ミキサーやプレス装置などの通常の製造装置を使用した製造方法を適用して製造することができる。
具体的には、ミキサーで顔料やその他の粉体を攪拌混合し、必要であれば予め加温溶解したバインターを加え、均一になるまで十分に攪拌し、必要であれば型に入れプレス形成する方法などを適用することができる。
【実施例】
【００６４】
以下に、実施例により本発明を具体的に説明するが、これらの実施例により本発明の技術範囲が限定されるものではない。
【００６５】
［硫酸アルミニウム塩粒子の摩擦性評価］
まず、球状の硫酸アルミニウム塩粒子の作成方法について説明する。
硫酸アルミニウムカリウム（タイエースＫ２０  メディアン径４〜６μｍ；大明化学株式会社製：）を水に溶解させて、８質量％の硫酸アルミニウムカリウム溶液を調製した。次に、この溶液をスプレードライ乾燥装置（装置名ＯＣ１６；大川原化工機株式会社製）により噴霧乾燥し、硫酸アルミニウムカリウムの球状粒子を得た。
得られた粒子のメディアン径は、レーザー回析／散乱法（粒子径分布測定装置ＨＥＬＯＳ；株式会社日本レーザー製）を用いて測定した。測定結果を表１に示す。なお、表１中の実施例１〜３は、得られた粒子について３箇所からサンプリングしたものである。
得られた硫酸アルミニウムカリウム粒子について図４に示す。更に中空状の硫酸アルミニウムカリウム粒子について図５に示す。
図４をみると、球状の硫酸アルミニウムカリウム粒子が得られることがわかる。更に図５をみると、球状かつ中空状の硫酸アルミニウムカリウム粒子についても得られることがわかる。
【００６６】
次に、得られた球状の硫酸アルミニウムカリウム粒子について、摩擦感テスター（ＫＥＳ−ＳＥ；カトーテック株式会社製）を用いて平均摩擦係数（ＭＩＵ）の評価を行った。比較例として、非球状硫酸アルミニウムカリウム粒子（タイエースＫ２０  図６）についても、同様に評価を行った。
【００６７】
評価の方法について、図７を用いて説明する。
まず、エタノールで洗浄したスライドガラス２２０に両面テープ２１０（ナイスタックＮＷ−１５；ニチバン株式会社製）を貼り付け、反対の粘着面に硫酸アルミニウムカリウム粒子２４０を塗工ナイフ２００でテープの粘着剤面が表面に現れないように塗布し、測定キット３００を作製する。その後、前記測定キット３００を摩擦感テスター５００にセットし、移動ステージ２４０で移動させながら、センサ２５０で平均摩擦係数（ＭＩＵ）を測定した。温度２４℃、湿度３１％の条件で測定を行った。測定結果を表１に示す。
【００６８】
【表１】
2019156676.tif 000003
【００６９】
表１の結果より、実施例で用いた球状の硫酸アルミニウムカリウム粒子は、比較例で用いた非球状の硫酸アルミニウムカリウム粒子に比べて、小さい平均摩擦係数を有することがわかった。これは、皮膚に塗布した際に滑りがよく、粒子を皮溝や毛穴に十分にアプローチすることができることを意味する。また、塗布した際に滑りがよいことから、さらさらとした感触を付与することもできる。
【００７０】
［処方例］
次に、本発明の球状の硫酸アルミニウム塩粒子を、制汗剤、ボディパウダー、フェイスパウダー、ファンデーション、チークに適用した配合処方の例を示す。但し、これらの処方例により本発明の技術範囲が限定されるものではない。
【００７１】
（処方例１）
下記処方で制汗剤（スティックタイプ）を調製した。
成分名                                    配合量（質量％）
球状硫酸アルミニウムカリウム粒子                １５．００
塩化ベンザルコニウム                              ０．１０
銀含有ゼオライト                                  ５．００
イソプロピルメチルフェノール                      ０．１０
シクロペンタシロキサン                          １９．３５
ジメチコン                                        ２．００
ステアリルアルコール                            ２５．００
ＰＯＰ−ブチルエーテル−１                      ２０．００
窒化ホウ素                                        ３．００
セスキイソステアリン酸ソルビタン                  ２．５０
マイクロクリスタリンワックス                      ３．００
メントール                                        ０．３０
リンゴ酸ジイソステアリル                          １．００
ジイソステアリン酸グリセリン                      ２．５０
ブチルヒドロキシトルエン                          ０．０５
水酸化アルミニウム                                ０．１０
酸化チタン                                        １．００
【００７２】
（処方例２）
下記処方で制汗剤（スティックタイプ）を調製した。
成分名                                    配合量（質量％）
球状硫酸アルミニウムカリウム粒子                ２２．００
イソプロピルパルミテート                        １５．００
水素化ヒマシ油                                    ３．００
シクロペンタシロキサン                          ２０．００
ポリデセン                                      １８．００
ＰＥＧ−８ジステアレート                          １．５０
ステアリルアルコール                            １７．００
香料                                              ０．５０
ＰＰＧ−１４ブチルエーテル                        残部
【００７３】
（処方例３）
下記処方で制汗剤（エアゾールタイプ）を調製した。
成分名                                    配合量（質量％）
球状硫酸アルミニウムカリウム粒子                  ２．５０
ステアラルコニウムベントナイト                    ０．５０
イソプロピルパルミテート                          ２．５０
香料                                              ０．５０
イソブタン                                      ８５．００
シクロペンタシロキサン                            ０．５０
トリエチルシトレート                              １．００
シクロペンタシロキサン                            残部
【００７４】
（処方例４）
下記処方で制汗剤（スティックタイプ）を調製した。
成分名                                    配合量（質量％）
球状硫酸アルミニウムカリウム粒子                １６．００
イソプロピルメチルフェノール                      ０．１０
シクロペンタシロキサン                          ２７．４５
ジメチコン                                        ２．００
ステアリルアルコール                            ２０．００
ＰＯＰ−ブチルエーテル−１                      ２０．００
オキシ塩化ビスマス                                ２．００
板状アルミナ                                      １．００
セスキイソステアリン酸ソルビタン                  ２．５０
水添ヒマシ油                                      ２．００
マイクロクリスタリンワックス                      ２．００
メントール                                        ０．３０
リンゴ酸ジイソステアリル                          １．００
ジイソステアリン酸グリセリン                      ２．５０
ブチルヒドロキシトルエン                          ０．０５
水酸化アルミニウム                                ０．１０
酸化チタン                                        １．００
【００７５】
（処方例５）
下記処方でフェイスパウダーを調製した。
成分名                                    配合量（質量％）
タルク                                            残部
球状硫酸アルミニウムカリウム粒子                ２２．００
ポリウレタン                                      ８．００
無水ケイ酸                                        ０．５０
酸化チタン                                        １．００
ベンガラ                                          適量
黄酸化鉄                                          適量
黒酸化鉄                                          適量
雲母チタン                                        ２．００
【００７６】
（処方例６）
下記処方でボディパウダーを調製した。
成分名                                    配合量（質量％）
タルク                                            残部
球状硫酸アルミニウムカリウム粒子                １５．００
ステアリン酸マグネシウム                          適量
香料                                              適量
【００７７】
（処方例７）
下記処方でファンデーション（コンパクトタイプ）を調製した。
成分名                                    配合量（質量％）
球状硫酸アルミニウムカリウム粒子                  ３．００
タルク                                          ４３．２０
セリサイト                                      ２２．００
二酸化チタン                                    １２．００
シリカ                                            ５．００
フェノキシエタノール                              ０．８０
ミネラルオイル                                    ５．００
ジメチルシリコーン                                ５．００
セスキイソステアリン酸ソルビタン                  ２．００
黄酸化鉄                                          １．５０
赤酸化鉄                                          ０．３０
黒酸化鉄                                          ０．２０
【００７８】
（処方例８）
下記処方でチークを調製した。
成分名                                    配合量（質量％）
タルク                                            残部
球状硫酸アルミニウムカリウム粒子                １５．０
セリサイト                                      ２０．０
ステアリン酸マグネシウム                          ３．０
雲母チタン                                      １０．０
着色剤                                            適量
エチルヘキサン酸セチル                            １．０
パルミチン酸エチルヘキシル                        ３．０
ジメチコン                                        ３．０
【産業上の利用可能性】
【００７９】
本発明の球状の硫酸金属塩粒子は、形状が球状であるため、皮膚に塗布した際に滑りがよく、粒子を皮溝や毛穴に十分にアプローチすることができる。
本発明の硫酸金属塩粒子は、制汗剤、ボディパウダー、フェイスパウダー、ファンデーション、化粧下地、チーク等の化粧料に利用することもできる。
【符号の説明】
【００８０】
１０  毛穴、２０  皮溝、３０  皮丘、１００  球状粒子、２００  塗工ナイフ、２１０  両面テープ、２２０  スライドガラス、２４０  硫酸アルミニウムカリウム粒子、２４０  移動ステージ、２５０  センサ３００  測定キット、５００  摩擦感テスター
【図１】
2019156676.tif 000004
【図２】
2019156676.tif 000005
【図３】
2019156676.tif 000006
【図４】
2019156676.tif 000007
【図５】
2019156676.tif 000008
【図６】
2019156676.tif 000009
【図７】
2019156676.tif 000010